(57)【要約】【課題】冷却機構を大型化することなく、大容量の発熱に十分な冷却能力を発揮することのできる、冷却ブロック及びこれを用いた内視鏡装置を実現する。【解決手段】冷媒を流す流路となる中空領域を内部に有した冷却ブロックであって、冷却ブロックの底面を構成する最下層面板と、冷却ブロックの上面を構成する最上層面板と、中空領域に該当する領域を切り欠き部として有し、柱状部及び周囲部分を構成する複数の流路層面板を有する中間層と、を備え、中間層は流路面積拡大層を有し、複数の流路層面板は、最下層面板と最上層面板との間で積層され、それぞれの面が接合されている。【選択図】図７
2014004228.tif 000002
【特許請求の範囲】
【請求項１】
冷媒を流す流路となる中空領域を内部に有した冷却ブロックであって、
冷却ブロックの底面を構成する最下層面板と、
冷却ブロックの上面を構成する最上層面板と、
前記中空領域に該当する領域を切り欠き部として有し、柱状部及び周囲部分を構成する複数の流路層面板を有する中間層と、
を備え、
前記中間層は流路面積拡大層を有し、
前記複数の流路層面板は、前記最下層面板と前記最上層面板との間で積層され、それぞれの面が接合されていることを特徴とする冷却ブロック。
【請求項２】
前記流路面積拡大層は前記複数の流路層面板を仕切る仕切り層であることを特徴とする請求項１に記載の冷却ブロック。
【請求項３】
前記切り欠き部形状を前記流路層面板毎に異ならせて流路内面に凹凸形状を設けることを特徴とする請求項１又は請求項２に記載の冷却ブロック。
【請求項４】
冷却部と接続部を備え、前記冷却部と前記接続部とが一体で構成されていることを特徴とする請求項１から請求項３のいずれか１項に記載の冷却ブロック。
【請求項５】
請求項４に記載の冷却ブロックを用いた内視鏡装置であって、
ポンプと、
前記ポンプと前記接続部に接続され、前記冷媒が内部を流れる往路チューブ及び復路チューブと、
前記冷却部に接しており、内部に発熱する電気素子を内蔵している内視鏡先端部材と、
を有することを特徴とする内視鏡装置。
【発明の詳細な説明】
【技術分野】
【０００１】
本発明は、冷却ブロック及びこれを用いた内視鏡装置に関するものである。
【背景技術】
【０００２】
従来の内視鏡システムとして、例えば特許文献１に記載の内視鏡システムは、内視鏡とポンプ装置を備える。この内視鏡は、先端部を洗浄するための洗浄液が送水される送水路を有し、送水された洗浄液が吐出される吐出口が先端部に設けられ、所定の圧力がかかると開放するバルブで吐出口を密栓することにより送水路に洗浄液を溜めることができる。また、ポンプ装置は、上記送水路に洗浄液を流し込むポンプと、洗浄液の温度を検出する温度センサと、検出された温度に応じて洗浄液を冷却する冷却手段と、を有する。
【先行技術文献】
【特許文献】
【０００３】
【特許文献１】特開２００６−１４９２５号公報
【発明の概要】
【発明が解決しようとする課題】
【０００４】
しかしながら、特許文献１に記載の内視鏡システムにおいては、内視鏡の先端部に冷却機構を導入しているが、冷却機構のサイズが小さいために流路面積を拡大することが難しく、大容量の発熱に充分な冷却能力を実現することが難しい。
【０００５】
本発明は、上記に鑑みてなされたものであって、冷却機構を大型化することなく、大容量の発熱に十分な冷却能力を発揮することのできる、冷却ブロック及びこれを用いた内視鏡装置を実現することを目的としている。
【課題を解決するための手段】
【０００６】
上述した課題を解決し、目的を達成するために、本発明に係る冷却ブロックは、冷媒を流す流路となる中空領域を内部に有した冷却ブロックであって、冷却ブロックの底面を構成する最下層面板と、冷却ブロックの上面を構成する最上層面板と、中空領域に該当する領域を切り欠き部として有し、柱状部及び周囲部分を構成する複数の流路層面板を有する中間層と、を備え、中間層は流路面積拡大層を有し、複数の流路層面板は、最下層面板と最上層面板との間で積層され、それぞれの面が接合されていることを特徴としている。
【０００７】
本発明に係る冷却ブロックにおいて、流路面積拡大層は複数の流路層面板を仕切る仕切り層であることが好ましい。
【０００８】
本発明に係る冷却ブロックにおいて、切り欠き部形状を流路層面板毎に異ならせて流路内面に凹凸形状を設けることが好ましい。
【０００９】
本発明に係る冷却ブロックにおいて、冷却部と接続部を備え、冷却部と接続部とが一体で構成されていることが好ましい。
【００１０】
本発明に係る内視鏡装置は、上述の冷却ブロックを用いた内視鏡装置であって、ポンプと、ポンプと接続部に接続され、冷媒が内部を流れる往路チューブ及び復路チューブと、冷却部に接しており、内部に発熱する電気素子を内蔵している内視鏡先端部材と、を有することを特徴としている。
【発明の効果】
【００１１】
本発明に係る冷却ブロック及び内視鏡装置は、冷却機構を大型化することなく、大容量の発熱に十分な冷却能力を発揮することができるという効果を奏する。
【図面の簡単な説明】
【００１２】
【図１】第１実施形態における内視鏡システムの構成を概念的に示す図である。
【図２】第１実施形態における内視鏡の内部構成を概念的に示す図である。
【図３】第１実施形態に係る冷却ブロックの構成を概念的に示す斜視図である。
【図４】第１実施形態における往路チューブと接続部の接続の様子を示す斜視図である。
【図５】第１実施形態に係る冷却ブロックの構成を示す平面図である。
【図６】（ａ）は第１実施形態における第１面板の構成を示す平面図、（ｂ）は第２面板の構成を示す平面図である。
【図７】（ａ）は、図５のＩＡ−ＩＡ’線における断面図、（ｂ）は、図５のＩＢ−ＩＢ’線における断面図である。
【図８】第２実施形態に係る冷却ブロックの構成を示す平面図である。
【図９】（ａ）は第２実施形態における第１面板の構成を示す平面図、（ｂ）は第２面板の構成を示す平面図、（ｃ）は第３面板の構成を示す平面図である。
【図１０】（ａ）は、図８のＩＩＡ−ＩＩＡ’線における断面図、（ｂ）は、図８のＩＩＢ−ＩＩＢ’線における断面図、（ｃ）は、図８のＩＩＣ−ＩＩＣ’線における断面図である。
【図１１】（ａ）は、図８のＩＩＤ−ＩＩＤ’線における断面図、（ｂ）は、図８のＩＩＥ−ＩＩＥ’線における断面図、（ｃ）は図８のＩＩＦ−ＩＩＦ’線における断面図である。
【図１２】第３実施形態に係る冷却ブロックの構成を示す平面図である。
【図１３】（ａ）は第３実施形態における第１面板の構成を示す平面図、（ｂ）は第２面板の構成を示す平面図、（ｃ）は第３面板の構成を示す平面図である。
【図１４】（ａ）は、図１２のＩＩＩＡ−ＩＩＩＡ’線における断面図、（ｂ）は、図１２のＩＩＩＢ−ＩＩＩＢ’線における断面図である。
【図１５】第４実施形態に係る冷却ブロックの構成を示す平面図である。
【図１６】（ａ）は第４実施形態における第１面板の構成を示す平面図、（ｂ）は第２面板の構成を示す平面図である。
【図１７】（ａ）は第４実施形態における第３面板の構成を示す平面図、（ｂ）は第４面板の構成を示す平面図である。
【図１８】（ａ）は、図１５のＩＶＡ−ＩＶＡ’線における断面図、（ｂ）は、図１５のＩＶＢ−ＩＶＢ’線における断面図である。
【図１９】（ａ）は、図１５のＩＶＣ−ＩＶＣ’線における断面図、（ｂ）は、図１５のＩＶＤ−ＩＶＤ’線における断面図である。
【発明を実施するための形態】
【００１３】
以下に、本発明に係る冷却ブロック及び内視鏡装置の実施形態を図面に基づいて詳細に説明する。なお、以下の実施形態によりこの発明が限定されるものではない。
【００１４】
（第１実施形態）
図１は、第１実施形態における内視鏡システムの構成を概念的に示す図である。
図１に示す内視鏡システムは被検体の体内を観察する観察装置であって、内視鏡１１、内視鏡操作部１２、ユニバーサルコード１３、光源装置１４、ビデオプロセッサ１５、及びモニター１６を備える。
【００１５】
内視鏡１１は、被検体の体内に入り、体内画像の取得や生細胞取得、治療を行う手段を持つ。
内視鏡操作部１２は、内視鏡１１の後端側に配置され、内視鏡１１の使用者が手に持ち、内視鏡１１の先端の方向を操作する機構を備える。
【００１６】
ユニバーサルコード１３、光源装置１４、ビデオプロセッサ１５、及びモニター１６は、内視鏡１１と電気的、機械的に繋がり、各役割を果たす。
ユニバーサルコード１３は、内視鏡操作部１２と光源装置１４を結ぶコードであり、内部に電気的、機械的な接続を果たすための配線が多数配置されている。光源装置１４は、内視鏡１１の先端から放射される光を駆動・制御する。ビデオプロセッサ１５は、内視鏡１１から送られる画像の処理や各回路の同期や処理を行う。モニター１６は、ビデオプロセッサ１５によって処理された、内視鏡１１の画像を出力する。
【００１７】
図２は、内視鏡１１の内部構成を概念的に示す図である。図３は、冷却ブロック１００の構成を概念的に示す斜視図である。図４は、往路チューブ２０と接続部１０２の接続の様子を示す斜視図である。図５は、冷却ブロック１００の構成を示す平面図である。
図４では、往路チューブ２０と接続部１０２の接続を示しているが、復路チューブ２１と接続部１０３も同様に接続される。
【００１８】
内視鏡１１の先端内部には内視鏡先端部材２９が配置される。内視鏡先端部材２９の内部には、電気素子２７や光学系のレンズ（不図示）が配置されている。内視鏡先端部材２９には、電気素子２７の駆動により発生する熱が伝わるため、内視鏡先端部材２９を冷却することにより、発熱している電気部材を間接的に冷却することができる。この冷却には流体を用いた熱交換を行う。この熱交換は、内視鏡先端部材２９に嵌合される冷却ブロック１００を用いて行う。
【００１９】
冷却ブロック１００は、内部に流路が設けられた中空構造となっていて、中空領域としての流路に流体（冷媒）が流れることで流体と内視鏡先端部材２９との間で熱交換が行われる。冷却ブロック１００の内部を通る流体は、内視鏡１１の後方に配置されるポンプ２２によって搬送される。ここで、ポンプ２２は、内視鏡１１及び内視鏡システムの構成等に応じて、内視鏡１１の内部と外部のいずれに配置することもできる。
また、内視鏡装置は、内視鏡操作部１２を含む内視鏡１１と、往路チューブ２０及び復路チューブ２１と、ポンプ２２と、を備える。
【００２０】
ポンプ２２には、冷却ブロック１００の内部を通る流体の往路、復路となる２本のチューブ２０、２１がそれぞれ接続されており、これらのチューブは、冷却ブロック１００にもそれぞれ接続されている。冷却ブロック１００は、冷却部１０１と、内部が冷却部１０１に連なった接続部１０２、接続部１０３と、で構成される。往路チューブ２０は接続部１０２に接続され、復路チューブ２１は接続部１０３に接続される。
【００２１】
往路チューブ２０、復路チューブ２１と、接続部１０２、１０３とは、例えば接着によって互いに接着される。ここで、接続部１０２、１０３は拡散接合で積層するため角型の外形になる。これに対してチューブは丸型のため、両者の接着においては、往路チューブ２０と復路チューブ２１を接続部１０２、１０３内にそれぞれ挿入した後で、チューブ内壁と接続部１０２、１０３の外壁間を接着剤で埋める。接続部１０２、１０３は内視鏡１１の後方から送られる流体を冷却ブロック１００に導入する役割を持つ。
これにより、ポンプ２２から、往路チューブ２０、冷却ブロック１００、復路チューブ２１、ポンプ２２の順番で流体が循環する流路１０４（図５）が形成される。
【００２２】
ここで、接続部１０２、１０３は、内視鏡先端部材２９とは機械的に接触していないため、冷却には大きく寄与しない。
また、冷却に用いる流体は、冷却能力の観点から水やオイル等の液体であることが望ましい。
【００２３】
冷却ブロック１００において熱交換され温度の上昇した流体は、復路チューブ２１内を通過中に復路チューブ２１とその周辺の外気に対し熱交換を行う。つまり冷却ブロック１００で一度温度上昇した流体は、循環する間に復路チューブ２１の外の環境と熱交換を行うために環境温度まで温度が落ちる。したがって、再び冷却ブロック１００に導入された際も１度目と同様の熱交換を行うことができる。
【００２４】
冷却ブロック１００は、以下に述べる構成により、従来の冷却機構の形状では達成できない大容量の発熱を冷却することができる。
図６（ａ）は第１面板１１０の構成を示す平面図、（ｂ）は第２面板１２０の構成を示す平面図である。図７（ａ）は、図５のＩＡ−ＩＡ’線における断面図、（ｂ）は、図５のＩＢ−ＩＢ’線における断面図である。
【００２５】
第１面板１１０は、平板状をなしており、冷却部１０１に対応する基部１１１と、２つの接続部１０２、１０３にそれぞれ対応する２つの延出部１１２、１１３と、からなる。
第２面板１２０は、冷却部１０１に対応する基部１２１と、２つの接続部１０２、１０３にそれぞれ対応する２つの延出部１２２、１２３と、を備える。延出部１２２、１２３にはそれぞれ流路１２４、１２８が形成され、基部１２１には、流路１２４に連なる流路１２５と、流路１２８に連なる流路１２７と、流路１２５と流路１２７を接続する流路１２６と、が形成されている。
流路１２５は、延出部１２２に連なる位置から流路幅を徐々に広げており、流路１２７は、延出部１２３から連なる位置から流路幅を広げており、流路１２５と流路１２７は略同一の流路形状を備える。
【００２６】
第１面板１１０及び第２面板１２０は、例えばＳＵＳ等の金属で構成し、その板厚は、例えば、５０μｍである。
第２面板１２０の流路は、例えば、エッチングによって形成する。
【００２７】
冷却ブロック１００は、例えば、図７に示すように、上から、第１面板１１０、第２面板１２０、第２面板１２０、第１面板１１０、第２面板１２０、第２面板１２０、第１面板１１０の順に合計７枚の板材を重ねて作製する。重ねた板材は、高温、高圧力条件で垂直方向（図７の上下方向）に拡散接合を行い、これにより冷却ブロック１００が完成する。
なお、冷却ブロック１００を構成する板材は、拡散接合に代えて、接着によって互いに固定・積層してもよい。
【００２８】
この作製方法においては、板材をエッチング加工して流路を形成するため、流路形状を複雑にすることが可能である。特に、以下の第２、第３、及び第４実施形態で示す複雑な形状を持った流路は切削加工で作製するのは困難である。また、コスト面や、大量生産の面でも、上述の冷却ブロック１００の作製方法は切削加工に対して優位性を持っている。
【００２９】
上述のように作製した冷却ブロック１００は、図７に示すように、上から順に、最上層１４１、中間層１４６、最下層１４５が積層したものと考えることができる。ここで、最上層１４１は最も上側の第１面板１１０（最上層面板）であって冷却ブロック１００の上面を構成し、最下層１４５は最も下側の第１面板１１０（最下層面板）であって冷却ブロック１００の底面を構成する。中間層１４６は、最上層１４１と最下層１４５に挟まれた複数の板材（中間層面板）からなる。中間層１４６は、流路層１４２、１４４と、これらに挟まれた仕切り層１４３（流路面積拡大層）としての第１面板１１０と、からなる。上側の流路層１４２及び下側の流路層１４４は、それぞれ、積層された２枚の板材１２０（流路層面板）である。
【００３０】
流路層面板としての第２面板１２０は、冷却ブロック１００の中空領域に該当する流路１２４、１２５、１２６、１２７、１２８を切り欠き部として有する。また、第２面板１２０は、流路１２４、１２５、１２６、１２７、１２８以外のエッチングされていない部分として、外側に配置される周囲部分と内側に配置される柱状部分を有する。
このように形成した冷却ブロック１００のうち、冷却部１０１は内視鏡１１の先端部と嵌合される部分で前述の熱交換を主に行う部分となる。
【００３１】
最上層１４１、最下層１４５は内部の流路を封止するフタの役割を持ち、流路層１４２、１４４と合わせることによって、冷却ブロック１００は中空領域としての流路を備えた構造になる。
【００３２】
仕切り層１４３（流路面積拡大層）は、少なくとも１枚以上配置されることが好ましく、流路層面板を仕切って流路を複数に分断し、流路面積を拡大する。流路表面積が大きくなると、中を通る流体と内壁の接触面積が大きくなるため、熱伝達性が上昇し冷却能力を向上させることができる。このような構成を取ることで、従来の冷却ブロックと外径寸法は同じであっても、冷却能力を向上させることができる。
【００３３】
（第２実施形態）
第２実施形態について、図８〜図１１を参照しつつ説明する。
第２実施形態に係る冷却ブロック２００においては、冷却ブロック２００の仕切り層を構成する板材２３０の構成が第１実施形態に係る冷却ブロック１００と異なる。内視鏡装置のうち、冷却ブロック２００以外の構成は第１実施形態と同様であるため、その詳細な説明は省略する。
【００３４】
図８は、冷却ブロック２００の構成を示す平面図である。図９（ａ）は第１面板２１０の構成を示す平面図、（ｂ）は第２面板２２０の構成を示す平面図、（ｃ）は第３面板２３０の構成を示す平面図である。図１０（ａ）は、図８のＩＩＡ−ＩＩＡ’線における断面図、（ｂ）は、図８のＩＩＢ−ＩＩＢ’線における断面図、（ｃ）は、図８のＩＩＣ−ＩＩＣ’線における断面図である。図１１（ａ）は、図８のＩＩＤ−ＩＩＤ’線における断面図、（ｂ）は、図８のＩＩＥ−ＩＩＥ’線における断面図、（ｃ）は図８のＩＩＦ−ＩＩＦ’線における断面図である。
【００３５】
第２実施形態における冷却ブロック２００は、図１０、図１１に示すように、上から、第１面板２１０、第２面板２２０、第２面板２２０、第３面板２３０、第２面板２２０、第２面板２２０、第１面板２１０の順に合計７枚の板材を重ねて作製する。作製した冷却ブロック２００は、上から順に、最上層２４１、中間層２４６、最下層２４５が積層したものと考えることができる。ここで、最上層２４１は最も上側の第１面板２１０（最上層面板）であって冷却ブロック２００の上面を構成し、最下層２４５は最も下側の第１面板２１０（最下層面板）であって冷却ブロック２００の底面を構成する。中間層２４６は、最上層２４１と最下層２４５に挟まれた複数の板材（中間層面板）からなる。中間層２４６は、流路層２４２、２４４と、これらに挟まれた仕切り層２４３（流路面積拡大層）としての第３面板２３０と、からなる。上側の流路層２４２及び下側の流路層２４４は、それぞれ、積層された２枚の板材２２０（流路層面板）である。
【００３６】
冷却ブロック２００における冷却部２０１、接続部２０２、２０３、流路２０４は、第１実施形態の冷却ブロック１００における冷却部１０１、接続部１０２、１０３、流路１０４にそれぞれ対応する。
【００３７】
第１面板２１０は、第１実施形態の第１面板１１０と同様の構成であって、第１面板２１０における基部２１１、延出部２１２、２１３は、第１面板１１０における基部１１１、延出部１１２、１１３にそれぞれ対応する。
【００３８】
流路層面板を構成する第２面板２２０は、冷却ブロック２００の中空領域に該当する流路２２４、２２５、２２６、２２７、２２８を切り欠き部として有する。また、第２面板２２０は、流路２２４、２２５、２２６、２２７、２２８以外のエッチングされていない部分として、外側に配置される周囲部分と内側に配置される柱状部分を有する。
ここで、第２面板２２０は、第２面板２２０における基部２２１、延出部２２２、２２３、流路２２４、２２５、２２６、２２７、２２８は、第２面板１２０における基部１２１、延出部１２２、１２３、流路１２４、１２５、１２６、１２７、１２８にそれぞれ対応する。
【００３９】
第３面板２３０は、冷却部２０１に対応する基部２３１と、２つの接続部２０２、２０３にそれぞれ対応する２つの延出部２３２、２３３と、を備える。延出部２３２、２３３にはそれぞれ流路２３４、２３７が形成され、基部２３１には、流路２３４に連なる流路２３５と、流路２３７に連なる流路２３６と、が形成されている。流路２３５と流路２３６は、第２面板２２０と異なり、互いに連結されていない。流路２３５と流路２３６は、流路２３４、２３７に連結される位置から図８のＩＩＤ−ＩＩＤ’線に対応する位置まで、徐々に流路幅を広げている。
このように流路が形成された第３面板２３０は、流路層２４２、２４４を仕切る仕切り層として機能するだけでなく、流路層としても機能する。
【００４０】
以上の構成においては、仕切り層２４３を構成する第３面板２３０の流路の長さが、流路層を構成する第２面板２２０の流路よりも短くなっている。また、接続部２０２、２０３における流路２２４、２２８、流路２３４、２３７は、冷却部２０１における流路２２５、２２７よりも幅が狭くなっている。
【００４１】
接続部２０２、２０３から冷却部２０１までの流路幅が小さい領域では、第１実施形態の仕切り層１４３のように流路のない層に代えて、この領域のみに流路を設けた仕切り層２４３を用いることによって、大きな圧力損失を軽減することができる。
中間層が厚くなる場合、流路のない中間層を用いると圧力損失の増大が大きくなるため、仕切り層２４３のような流路を設けた中間層を用いることは効果的である。
なお、その他の構成、作用、効果については、第１実施形態と同様である。
【００４２】
（第３実施形態）
第３実施形態について、図１２〜図１４を参照しつつ説明する。
第３実施形態に係る冷却ブロック３００においては、冷却ブロック３００の流路層を構成する板材３３０の構成が第１実施形態に係る冷却ブロック１００と異なる。冷却ブロック３００以外の構成は第１実施形態と同様であるため、その詳細な説明は省略する。
【００４３】
図１２は、冷却ブロック３００の構成を示す平面図である。図１３（ａ）は第１面板３１０の構成を示す平面図、（ｂ）は第２面板３２０の構成を示す平面図、（ｃ）は第３面板３３０の構成を示す平面図である。図１４（ａ）は、図１２のＩＩＩＡ−ＩＩＩＡ’線における断面図、（ｂ）は、図１２のＩＩＩＢ−ＩＩＩＢ’線における断面図である。
【００４４】
第３実施形態における冷却ブロック３００は、図１４に示すように、上から、第１面板３１０、第２面板３２０、第３面板３３０、第２面板３２０、第３面板３３０、第２面板３２０、第１面板３１０の順に合計７枚の板材を重ねて作製する。作製した冷却ブロック３００は、上から順に、最上層３４１、中間層３４６、最下層３４５が積層したものと考えることができる。ここで、最上層３４１は最も上側の第１面板３１０（最上層面板）であって冷却ブロック３００の上面を構成し、最下層３４５は最も下側の第１面板３１０（最下層面板）であって冷却ブロック３００の底面を構成する。中間層３４６は、最上層３４１と最下層３４５に挟まれた複数の板材（中間層面板）からなる。中間層３４６は、流路層３４２、３４４と、これらに挟まれた仕切り層３４３（流路面積拡大層）としての第１面板３２０と、からなる。上側の流路層３４２は、上側から順に積層された板材３２０、第３面板３３０（流路層面板）であり、下側の流路層３４４は、上側から順に積層された板材３３０、３２０（流路層面板）である。
【００４５】
冷却ブロック３００における冷却部３０１、接続部３０２、３０３、流路３０４は、第１実施形態の冷却ブロック１００における冷却部１０１、接続部１０２、１０３、流路１０４にそれぞれ対応する。
【００４６】
第１面板３１０は、第１実施形態の第１面板１１０と同様の構成であって、第１面板３１０における基部３１１、延出部３１２、３１３は、第１面板１１０における基部１１１、延出部１１２、１１３にそれぞれ対応する。
第２面板３２０は、第１実施形態の第２面板１２０と同様の構成であって、第２面板３２０における基部３２１、延出部３２２、３２３、流路３２４、３２５、３２６、３２７、３２８は、第２面板１２０における基部１２１、延出部１２２、１２３、流路１２４、１２５、１２６、１２７、１２８にそれぞれ対応する。
このように流路が形成された第３面板３２０は、流路層３４２、３４４を仕切る仕切り層として機能するだけでなく、流路層としても機能する。
【００４７】
第２面板３２０は、冷却ブロック３００の中空領域に該当する流路３２４、３２５、３２６、３２７、３２８を切り欠き部として有する。また、第２面板３２０は、流路３２４、３２５、３２６、３２７、３２８以外のエッチングされていない部分として、外側に配置される周囲部分と内側に配置される柱状部分を有する。
【００４８】
第３面板３３０は、冷却部３０１に対応する基部３３１と、２つの接続部３０２、３０３にそれぞれ対応する２つの延出部３３２、３３３と、を備える。延出部３３２、３３３にはそれぞれ流路３３４、３３８が形成され、基部３３１には、流路３３４に連なる流路３３５と、流路３３８に連なる流路３３７と、流路３３５と流路３３７を接続する流路３３６と、が形成されている。
流路３３５は、流路３３４に連なる位置から図１２のＩＩＩ流路幅を徐々に広げており、流路３３７は、流路３３３から連なる位置から流路幅を広げている。さらに、流路３３５、３３７には、第３面板３３０の面方向（図１３の紙面方向）に凹凸形状が形成されている。
【００４９】
冷却ブロック３００においては、第１、第２実施形態と同様にエッチングで流路を形成し、板材を拡散接合によって積層して冷却ブロック３００を作製している。このため、流路形状は選択性が高い。例えば、図１３（ｃ）に示すように、最上層３４１内に凹凸状の流路形状を形成することができる。このような形状を用いると、流路表面積を拡大させることができ、これにより、流体の流れが乱流になる可能性が高くなる。小さな領域では流体の流れは層流になるのが一般的だが、上述の流路形状をとることによって、流路を流れる流体の流れが乱流になる。これにより、流体への熱伝達量が大幅に上昇し、冷却効果を高めることが期待できる。
なお、その他の構成、作用、効果については、第１実施形態と同様である。
【００５０】
（第４実施形態）
第４実施形態について、図１５〜図１９を参照しつつ説明する。
第４実施形態に係る冷却ブロック４００においては、流路層を構成する板材４２０、及び、仕切り層を構成する板材４３０の構成が第１実施形態に係る冷却ブロック１００と異なる。内視鏡装置のうち、冷却ブロック２００以外の構成は第１実施形態と同様であるため、その詳細な説明は省略する。
【００５１】
図１５は、第４実施形態に係る冷却ブロック４００の構成を示す平面図である。図１６（ａ）は第４実施形態における第１面板４１０の構成を示す平面図、（ｂ）は第２面板４２０の構成を示す平面図である。図１７（ａ）は第３面板４３０の構成を示す平面図、（ｂ）は第４面板４４０の構成を示す平面図である。図１８（ａ）は、図１５のＩＶＡ−ＩＶＡ’線における断面図、（ｂ）は、図１５のＩＶＢ−ＩＶＢ’線における断面図である。図１９（ａ）は、図１５のＩＶＣ−ＩＶＣ’線における断面図、（ｂ）は、図１５のＩＶＤ−ＩＶＤ’線における断面図である。
なお、図１６、図１７におけるＩＶＡ−ＩＶＡ’線、ＩＶＢ−ＩＶＢ’線、ＩＶＣ−ＩＶＣ’線、ＩＶＤ−ＩＶＤ’線は、図１５におけるＩＶＡ−ＩＶＡ’線、ＩＶＢ−ＩＶＢ’線、ＩＶＣ−ＩＶＣ’線、ＩＶＤ−ＩＶＤ’線にそれぞれ対応している。
【００５２】
第４実施形態における冷却ブロック４００は、図１８、図１９に示すように、上から、第１面板４１０、第２面板４２０、第３面板４３０、第４面板４４０、第３面板４３０、第２面板４２０、第１面板４１０の順に合計７枚の板材を重ねて作製する。作製した冷却ブロック４００は、上から順に、最上層４５１、中間層４５８、最下層４５７が積層したものと考えることができる。ここで、最上層４５１は最も上側の第１面板４１０（最上層面板）であって冷却ブロック４００の上面を構成し、最下層４５７は最も下側の第１面板４１０（最下層面板）であって冷却ブロック４００の底面を構成する。中間層４５８は、最上層４５１と最下層４５７に挟まれた複数の板材（中間層面板）からなる。中間層４５８は、３枚の流路層４５２、４５４、４５６としての第２面板４２０（流路層面板）と、これらの間にそれぞれ挟まれた２枚の仕切り層４５３、４５５（流路面積拡大層）としての２枚の第３面板４３０と、からなる。なお、第３面板４３０は流路層面板としても機能する。
【００５３】
冷却ブロック４００における冷却部４０１、接続部４０２、４０３、流路４０４は、第１実施形態の冷却ブロック１００における冷却部１０１、接続部１０２、１０３、流路１０４にそれぞれ対応する。
【００５４】
第１面板４１０は、第１実施形態の第１面板１１０と同様の構成であって、第１面板４１０における基部４１１、延出部４１２、４１３は、第１面板１１０における基部１１１、延出部１１２、１１３にそれぞれ対応する。
【００５５】
流路層面板を構成する第２面板４２０は、図１６（ｂ）に示すように、冷却ブロック４００の中空領域に該当する流路４２４、４２５、４２６、４２７、４２８を切り欠き部として有する。また、第２面板４２０は、流路４２４、４２５、４２６、４２７、４２８以外のエッチングされていない部分として、外側に配置される周囲部分と内側に配置される柱状部分を有する。
さらに、第２面板４２０の各流路間には、エッチングされていない橋状部がそれぞれ配置されている。具体的には、流路４２４と流路４２５の間には流路の内外の柱状部分を接続する橋状部４２９ａが設けられ、流路４２５と流路４２６の間には流路の内外の柱状部分を接続する橋状部４２９ｂが設けられ、流路４２６と流路４２７の間には流路の内外の柱状部分を接続する橋状部４２９ｃが設けられ、流路４２７と流路４２８の間には流路の内外の柱状部分を接続する橋状部４２９ｄが設けられている。
【００５６】
ここで、第２面板４２０における基部４２１、延出部４２２、４２３、流路４２４、４２５、４２６、４２７、４２８は、第１実施形態の第２面板１２０における基部１２１、延出部１２２、１２３、流路１２４、１２５、１２６、１２７、１２８にそれぞれ対応する。
【００５７】
流路面積拡大層を構成する第３面板４３０は、図１７（ａ）に示すように、冷却ブロック４００の中空領域に該当する流路４３４、４３５、４３６、４３７を切り欠き部として有する。また、第３面板４３０は、流路４３４、４３５、４３６、４３７以外のエッチングされていない部分として、外側に配置される周囲部分と内側に配置される柱状部分を有する。
さらに、第３面板４３０の各流路間には、エッチングされていない橋状部がそれぞれ配置されている。具体的には、流路４３４と流路４３５の間には流路の内外の柱状部分を接続する橋状部４３９ａが設けられ、流路４３５と流路４３６の間には流路の内外の柱状部分を接続する橋状部４３９ｂが設けられ、流路４３６と流路４３７の間には流路の内外の柱状部分を接続する橋状部４２９ｃが設けられている。
【００５８】
ここで、第３面板４３０における基部４３１、延出部４３２、４３３、流路４３４、４３５、４３６、４３７は、第１実施形態の第２面板１２０における基部１２１、延出部１２２、１２３、流路１２４、１２５、１２６、１２７、１２８にそれぞれ対応する。
【００５９】
第４面板４４０は、第１実施形態の第２面板１２０と同様の構成であって、第４面板４４０における基部４４１、延出部４４２、４４３、流路４４４、４４５、４４６、４４７、４４８は、第２面板１２０における基部１２１、延出部１２２、１２３、流路１２４、１２５、１２６、１２７、１２８にそれぞれ対応する。
【００６０】
以上の構成においては、流路間に橋状部を設けることによって、流路を構成する内側面の面積を拡大させ冷却ブロック４００の冷却能力を向上させている。また、図１８に示す２組の橋状部４３９ａ、４３９ｃ、及び、図１９に示す２つの橋状部４３９ｂのように、流路間に複数の橋状部を設けることができ、橋状部の数が多くなるほど流路面積が増大するため、冷却効果を向上させることができる。
なお、各層に配置する橋状部は、流路を塞ぐことがないように、層毎に板材の面方向の位置をずらしている。
【００６１】
また、この構成の場合、第１〜第３実施形態の冷却ブロックに対し、垂直方向（図１８、図１９の上下方向）の上下に流路が分断されないため圧力損失が少なくなる。そのため、ポンプ２２の吐出圧力が小さくてすむため、ポンプ２２を小型化できる。さらにまた、この構成によれば、流路全体にかかる圧力が小さくなるため、冷却ブロック４００、往路チューブ２０、及び復路チューブ２１の使用寿命を長くできる。
なお、その他の構成、作用、効果については、第１実施形態と同様である。
【産業上の利用可能性】
【００６２】
以上のように、本発明に係る冷却ブロックは、大容量の発熱の冷却に有用であり、特に、冷却ブロックを大きくできない場合に適している。
【符号の説明】
【００６３】
１１    内視鏡
１２    内視鏡操作部
１３    ユニバーサルコード
１４    光源装置
１５    ビデオプロセッサ
１６    モニター
２０    往路チューブ
２１    復路チューブ
２２    ポンプ
２７    電気素子
２９    内視鏡先端部材
１００  冷却ブロック
１０１  冷却部
１０２、１０３  接続部
１０４  流路
１１０  第１面板
１１１  基部
１１２、１１３  延出部
１２０  第２面板
１２１  基部
１２２、１２３  延出部
１２４、１２５、１２６、１２７、１２８  流路
１４１  最上層
１４２  流路層
１４３  仕切り層
１４４  流路層
１４５  最下層
１４６  中間層
２００  冷却ブロック
２０１  冷却部
２０２、２０３  接続部
２０４  流路
２１０  第１面板
２１１  基部
２１２、２１３  延出部
２２０  第２面板
２２１  基部
２２２、２２３  延出部
２２４、２２５、２２６、２２７、２２８  流路
２３０  第３面板
２３１  基部
２３２、２３３  延出部
２３４、２３５、２３６、２３７  流路
２４１  最上層
２４２  流路層
２４３  仕切り層
２４４  流路層
２４５  最下層
２４６  中間層
３００  冷却ブロック
３０１  冷却部
３０２、３０３  接続部
３０４  流路
３１０  第１面板
３１１  基部
３１２、３１３  延出部
３２０  第２面板
３２１  基部
３２２、３２３  延出部
３２４、３２５、３２６、３２７、３２８  流路
３３０  第３面板
３３１  基部
３３２、３３３  延出部
３３４、３３５、３３６、３３７、３３８  流路
３４１  最上層
３４２  流路層
３４３  仕切り層
３４４  流路層
３４５  最下層
３４６  中間層
４００  冷却ブロック
４０１  冷却部
４０２、４０３  接続部
４０４  流路
４１０  第１面板
４１１  基部
４１２、４１３  延出部
４２０  第２面板
４２１  基部
４２２、４２３  延出部
４２４、４２５、４２６、４２７、４２８  流路
４２９ａ、４２９ｂ、４２９ｃ、４２９ｄ  橋状部
４３０  第３面板
４３１  基部
４３２、４３３  延出部
４３４、４３５、４３６、４３７  流路
４３９ａ、４３９ｂ、４３９ｃ  橋状部
４４０  第４面板
４４１  基部
４４２、４４３  延出部
４４４、４４５、４４６、４４７、４４８  流路
４５１  最上層
４５２  流路層
４５３  仕切り層
４５４  流路層
４５５  仕切り層
４５６  流路層
４５７  最下層
４５８  中間層
【図１】
2014004228.tif 000003
【図２】
2014004228.tif 000004
【図３】
2014004228.tif 000005
【図４】
2014004228.tif 000006
【図５】
2014004228.tif 000007
【図６】
2014004228.tif 000008
【図７】
2014004228.tif 000009
【図８】
2014004228.tif 000010
【図９】
2014004228.tif 000011
【図１０】
2014004228.tif 000012
【図１１】
2014004228.tif 000013
【図１２】
2014004228.tif 000014
【図１３】
2014004228.tif 000015
【図１４】
2014004228.tif 000016
【図１５】
2014004228.tif 000017
【図１６】
2014004228.tif 000018
【図１７】
2014004228.tif 000019
【図１８】
2014004228.tif 000020
【図１９】
2014004228.tif 000021